(57)【要約】【課題】アンテナ体上で太陽電池の配置されない部分を目立ちにくくする部材を設ける際に、電子時計の厚みの増加を抑制できる技術を提供する。【解決手段】電子時計は、外光が入射する一方の面と前記外光が射出する他方の面を備えた光透過性の文字板と、文字板に対して外光が射出する方向に配置され、光発電を行うソーラーセルを有する太陽電池と、文字板に対して前記外光が射出する方向に配置され、電波を受信するアンテナ体と、文字板とアンテナ体との間に配置された第１の部分を有するカバー部材と、を備え、アンテナ体は、文字板に対して垂直な方向である厚さ方向から見た平面視において、ソーラーセルと重ならない部分を有し、第１の部分は、平面視において、アンテナ体と重なりを有し、断面視において、第１の部分が厚さ方向に配置されている範囲と、太陽電池が厚さ方向に配置されている範囲とが重なりを有する。【選択図】図４
2018155715.tif 000002
【特許請求の範囲】
【請求項１】
外光が入射する一方の面と前記外光が射出する他方の面を備えた光透過性の文字板と、
前記文字板に対して前記外光が射出する方向に配置され、光発電を行うソーラーセルを有する太陽電池と、
前記文字板に対して前記外光が射出する方向に配置され、電波を受信するアンテナ体と、
前記文字板と前記アンテナ体との間に配置された第１の部分を有するカバー部材と、
を備え、
前記アンテナ体は、前記文字板に対して垂直な方向である厚さ方向から見た平面視において、前記ソーラーセルと重ならない部分を有し、
前記第１の部分は、前記平面視において、前記アンテナ体と重なりを有し、前記厚さ方向に対して垂直な方向から見た断面視において、前記第１の部分が前記厚さ方向に配置されている範囲と、前記太陽電池が前記厚さ方向に配置されている範囲とが重なりを有する、
電子時計。
【請求項２】
前記カバー部材は、前記平面視において前記太陽電池と重なる第２の部分を有する、
請求項１に記載の電子時計。
【請求項３】
前記カバー部材は、前記文字板を保持する第１の保持部材を含み、
前記第１の保持部材は、前記第１の部分の少なくとも一部を含む、
請求項１または２に記載の電子時計。
【請求項４】
前記第１の保持部材は、外装ケースに収容され、前記平面視において当該外装ケースの内側に張り出した第１の張り出し部を有し、
前記第１の張り出し部は、前記第１の部分の少なくとも一部を含む、
請求項３に記載の電子時計。
【請求項５】
前記カバー部材は、日車を保持する第２の保持部材を含み、
前記第２の保持部材は、前記第１の部分の少なくとも一部を含む、
請求項１〜４のうちいずれか１項に記載の電子時計。
【請求項６】
前記第２の保持部材は、外装ケースに収容され、前記平面視において当該外装ケース側に張り出した第２の張り出し部を有し、
前記第２の張り出し部は、前記第１の部分の少なくとも一部を含む、
請求項５に記載の電子時計。
【請求項７】
前記第２の保持部材は、前記平面視において前記太陽電池と重なる第３の部分と、前記平面視において前記太陽電池と重ならず前記アンテナ体と重なる第４の部分とを有し、
前記第４の部分は、前記第３の部分に対し、前記厚さ方向について前記太陽電池の方向へ突き出しており、前記第１の部分の少なくとも一部を含む、
請求項５または６に記載の電子時計。
【請求項８】
前記第１の部分は、厚さが異なる複数の部分を有する、
請求項１〜７のうちいずれか１項に記載の電子時計。
【請求項９】
前記文字板を保持する第１の保持部材と、
日車を保持する第２の保持部材と、
を備え、
前記カバー部材は、前記第１の保持部材および前記第２の保持部材とは別体の部材により構成される、
請求項１に記載の電子時計。
【請求項１０】
前記カバー部材は、前記平面視において前記太陽電池と重なる第２の部分を有し、樹脂のフィルムで形成されており、
前記第２の部分は、前記フィルムを前記厚さ方向に変形させることで形成されている、
請求項９に記載の電子時計。
【請求項１１】
前記カバー部材は、前記平面視において前記太陽電池と重なる第２の部分を有し、前記第１の部分を含む第１の部材と、前記第２の部分を含む第２の部材とが重なって形成されている、
請求項９に記載の電子時計。
【請求項１２】
前記カバー部材は、前記第２の部分を介して前記太陽電池に接着されている、
請求項１０または１１に記載の電子時計。
【発明の詳細な説明】
【技術分野】
【０００１】
本発明は、電子時計に関する。
【背景技術】
【０００２】
衛星から送信された電波等の電波を受信するパッチアンテナ等のアンテナ体と、太陽電池とを備えた電子時計が知られている。このような電子時計は、太陽電池に光を入射させることができるように、光透過性の文字板を備えている。文字板の裏側に太陽電池が配置され、太陽電池の裏側にアンテナ体が配置される。
【０００３】
特許文献１に記載された技術では、アンテナ体上に配置された太陽電池に起因する受信感度の低下を防ぐために、太陽電池の、アンテナ体上に配置される部分に、切欠きを設けている。そして、この切欠きが光透過性の文字板を介して視認されることを防ぐために、太陽電池と文字板との間に、遮蔽シートを設けている。
【先行技術文献】
【特許文献】
【０００４】
【特許文献１】特開２０１２−２１１８９５号公報
【発明の概要】
【発明が解決しようとする課題】
【０００５】
特許文献１に記載の技術では、アンテナ体上で太陽電池の配置されない部分を目立ちにくくする部材が、太陽電池と厚さ方向に重なって配置される。このため、電子時計の厚みが増加する。
【０００６】
本発明は、上述した事情に鑑みてなされたものであり、アンテナ体上で太陽電池の配置されない部分を目立ちにくくする部材を設ける際に、電子時計の厚みの増加を抑制できる技術を提供することを、解決課題の一つとする。
【課題を解決するための手段】
【０００７】
以上の課題を解決するため、本発明に係る電子時計の一態様は、外光が入射する一方の面と前記外光が射出する他方の面を備えた光透過性の文字板と、前記文字板に対して前記外光が射出する方向に配置され、光発電を行うソーラーセルを有する太陽電池と、前記文字板に対して前記外光が射出する方向に配置され、電波を受信するアンテナ体と、前記文字板と前記アンテナ体との間に配置された第１の部分を有するカバー部材と、を備え、前記アンテナ体は、前記文字板に対して垂直な方向である厚さ方向から見た平面視において、前記ソーラーセルと重ならない部分を有し、前記第１の部分は、前記平面視において、前記アンテナ体と重なりを有し、前記厚さ方向に対して垂直な方向から見た断面視において、前記第１の部分が前記厚さ方向に配置されている範囲と、前記太陽電池が前記厚さ方向に配置されている範囲とが重なりを有する。
【０００８】
前記態様によれば、第１の部分が、平面視において、アンテナ体上で太陽電池の配置されない部分と重なって配置されることで、当該部分を目立ちにくくすることができる。また、断面視において、第１の部分が厚さ方向に配置されている範囲と、太陽電池が厚さ方向に配置されている範囲とが重なりを有することで、当該部分を目立ちにくくする部材を太陽電池と厚さ方向に重ねて配置しなくてもよくなり、電子時計の厚みの増加を抑制できる。また、第１の部分の厚さ方向の位置と、太陽電池の厚さ方向の位置との差を抑制して段差を生じにくくできるため、当該部分を、より効果的に目立ちにくくすることができる。
【０００９】
上述した電子時計の一態様において、前記カバー部材は、前記平面視において前記太陽電池と重なる第２の部分を有する。この態様によれば、カバー部材と太陽電池との間に平面視で隙間が形成されることを抑制できる。
【００１０】
上述した電子時計の一態様において、前記カバー部材は、前記文字板を保持する第１の保持部材を含み、前記第１の保持部材は、前記第１の部分の少なくとも一部を含む。この態様によれば、第１の保持部材がカバー部材としても用いられるため、カバー部材を設けることに伴う部品点数の増加を抑制できる。
【００１１】
上述した電子時計の一態様において、前記第１の保持部材は、外装ケースに収容され、前記平面視において当該外装ケースの内側に張り出した第１の張り出し部を有し、前記第１の張り出し部は、前記第１の部分の少なくとも一部を含む。この態様によれば、文字板を保持する第１の保持部材に、第１の部分の少なくとも一部を含む第１の張り出し部を設けることで、カバー部材として用いることができる。
【００１２】
上述した電子時計の一態様において、前記カバー部材は、日車を保持する第２の保持部材を含み、前記第２の保持部材は、前記第１の部分の少なくとも一部を含む。この態様によれば、第２の保持部材がカバー部材としても用いられるため、カバー部材を設けることに伴う部品点数の増加を抑制できる。
【００１３】
上述した電子時計の一態様において、前記第２の保持部材は、外装ケースに収容され、前記平面視において当該外装ケース側に張り出した第２の張り出し部を有し、前記第２の張り出し部は、前記第１の部分の少なくとも一部を含む。この態様によれば、日車を保持する第２の保持部材に、第１の部分の少なくとも一部を含む第２の張り出し部を設けることで、カバー部材として用いることができる。
【００１４】
上述した電子時計の一態様において、前記第２の保持部材は、前記平面視において前記太陽電池と重なる第３の部分と、前記平面視において前記太陽電池と重ならず前記アンテナ体と重なる第４の部分とを有し、前記第４の部分は、前記第３の部分に対し、前記厚さ方向について前記太陽電池の方向へ突き出しており、前記第１の部分の少なくとも一部を含む。この態様によれば、日車を保持する第２の保持部材に、第１の部分の少なくとも一部を含む第４の部分を設けることで、カバー部材として用いることができる。
【００１５】
上述した電子時計の一態様において、前記第１の部分は、厚さが異なる複数の部分を有する。この態様によれば、第１の部分が、厚さが異なる複数の部分を有することで、アンテナ体と文字板との間の空間の充填性を向上させることが容易になる。
【００１６】
上述した電子時計の一態様において、  前記文字板を保持する第１の保持部材と、日車を保持する第２の保持部材と、を備え、前記カバー部材は、前記第１の保持部材および前記第２の保持部材とは別体の部材により構成される。この態様によれば、第１の保持部材および第２の保持部材の構造を変更することなく、カバー部材を設けることができる。
【００１７】
上述した電子時計の一態様において、前記カバー部材は、前記平面視において前記太陽電池と重なる第２の部分を有し、樹脂のフィルムで形成されており、前記第２の部分は、前記フィルムを前記厚さ方向に変形させることで形成されている。この態様によれば、樹脂のフィルムが有する可とう性によりカバー部材を容易に変形させて、第２の部分を形成することができる。
【００１８】
上述した電子時計の一態様において、前記カバー部材は、前記平面視において前記太陽電池と重なる第２の部分を有し、前記第１の部分を含む第１の部材と、前記第２の部分を含む第２の部材とが重なって形成されている。この態様によれば、第１の部分と第２の部分とを有するカバー部材を、第１の部材と第２の部材とを重ねた簡便な構造により、容易に作製することができる。
【００１９】
上述した電子時計の一態様において、前記カバー部材は、前記第２の部分を介して前記太陽電池に接着されている。この態様によれば、カバー部材が太陽電池と一体化されるので、電子時計の組み立てが容易になる。
【図面の簡単な説明】
【００２０】
【図１】本発明の実施形態に係る電子時計を含むＧＰＳの全体図である。
【図２】電子時計の外観を示す斜視図である。
【図３】電子時計の外観を示す６面図である。
【図４】電子時計の概略を示す断面図である。
【図５】電子時計の外観を示す概略平面図である。
【図６】電子時計の電気制御ブロック図である。
【図７】太陽電池の外観を示す平面図である。
【図８】文字板受けリングの外観を示す平面図である。
【図９】地板の外観を示す平面図である。
【図１０】太陽電池および文字板受けリングが重なった状態の外観を示す平面図である。
【図１１】第１実施形態による電子時計の、アンテナ体を通り径方向に沿った部分的な断面図である。
【図１２】第１実施形態による電子時計の、アンテナ体を通り径方向と直交する方向に沿った部分的な断面図である。
【図１３】第２実施形態による電子時計の、アンテナ体を通り径方向に沿った部分的な断面図である。
【図１４】第３実施形態による電子時計の、アンテナ体を通り径方向に沿った部分的な断面図である。
【図１５】第４実施形態による電子時計の、アンテナ体を通り径方向に沿った部分的な断面図である。
【図１６】第４実施形態による電子時計の、アンテナ体を通り径方向と直交する方向に沿った部分的な断面図である。
【図１７】第４実施形態の第１変形例による電子時計の、アンテナ体を通り径方向に沿った部分的な断面図である。
【図１８】第４実施形態の第１変形例による電子時計の、アンテナ体を通り径方向と直交する方向に沿った部分的な断面図である。
【図１９】第４実施形態の第２変形例による電子時計の、アンテナ体を通り径方向に沿った部分的な断面図である。
【図２０】第４実施形態の第２変形例による電子時計の、アンテナ体を通り径方向と直交する方向に沿った部分的な断面図である。
【発明を実施するための形態】
【００２１】
以下、この発明の好適な実施の形態を、添付図面等を参照しながら詳細に説明する。ただし、各図において、各部の寸法および縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２２】
＜第１実施形態＞
図１〜図１２を参照しつつ、本発明の第１実施形態について説明する。
【００２３】
＜Ａ：電子時計の概要＞
図１は、本発明の一実施形態に係る電子時計を含むＧＰＳの全体図である。まず、電子時計が、外部信号としての電波を用いて、現在地の位置情報と、時刻情報とを求めるＧＰＳの概要を説明する。
【００２４】
電子時計１０は、ＧＰＳ衛星８からの電波（衛星信号）を受信して内部時刻を修正する腕時計であり、腕と接触する側の面（以下、裏面）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００２５】
ＧＰＳ衛星８は、約３０個が存在する（図１においては、４個のみを図示）。衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００２６】
ＧＰＳ衛星８は原子時計を搭載しており、衛星信号は原子時計で計時されたＧＰＳ時刻情報が含まれている。電子時計１０は、１つのＧＰＳ衛星８から送信された衛星信号を受信し、その中に含まれるＧＰＳ時刻情報を使用して得られた時刻（時刻情報）を内部時刻とする。
【００２７】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２８】
次に、電子時計１０の概略構成について説明する。図２は、電子時計の外観を示す斜視図であり、図３は、電子時計の外観を示す６面図である。図４は、電子時計の概略を示す断面図である。
なお、図３（ａ）は電子時計を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である、図３（ｅ）は６時方向から１２時方向を見た側面図である。図３（ｆ）は裏面側からみた平面図である。また、本実施形態の電子時計は、ワールドタイム機能とクロノグラフ機能を備えている。
【００２９】
図２および図３に示すように、電子時計１０は、外装ケース３０と、カバーガラス３３と、裏蓋３４とを備えている。外装ケース３０は、金属で形成されていた円筒状のケース３１に、セラミックで形成されたベゼル３２が嵌合されて構成されている。ベゼル３２の内周側に、樹脂で形成されたリング状のダイヤルリング４０が配置され、円盤状の文字板１１が時刻表示部分として配置されている。
【００３０】
文字板１１には、指針２１，２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０およびカレンダー小窓１５などは、カバーガラス３３を透かして、視認可能となっている。
【００３１】
外装ケース３０の側面には、文字板１１の中心により、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。これらのＡボタン６１、Ｂボタン６２、Ｃボタン６３、Ｄボタン６４およびリュウズ５０が操作されることにより、操作に応じた操作信号が出力される。
【００３２】
図４に示すように、電子時計１０は、金属製の外装ケース３０の２つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、太陽電池１３５と、アンテナ体１１０と、文字板受けリング１２６と、地板１２５と、日車１３０と、日車押さえ１３１と、指針２１，２２，２３を駆動する駆動機構１４０などとが備えられている（収容されている）。
指針軸２５は、外装ケース３０の平面視における中心を通り、表裏方向に延在する中心軸に沿って設けられている。
【００３３】
ダイヤルリング４０は、外周端が、ベゼル３２の内周面に接触しているとともに、一面がカバーガラス３３と平行な平板部分と、内周端が文字板１１に接触するように、文字板１１側へ傾斜した傾斜部分を備えている。ダイヤルリング４０は、平面視においてはリング形状となっており、断面視においてはすり鉢形状となっている。
【００３４】
文字板１１は、外装ケース３０の内側で時刻を表示する円形の板材であり、樹脂などの光透過性の材料で形成され、カバーガラス３３との間に指針２１，２２，２３などを備え、ダイヤルリング４０の下側に配置されている。
【００３５】
文字板１１は、外光が入射する一方の面１１ａと外光が射出する他方の面１１ｂを備える。文字板１１に対して垂直な方向（指針軸２５の軸方向に対して平行な方向）から電子時計１０を構成する部材を見ることを、平面視と称する。文字板１１に対して垂直な方向を、厚さ方向とも称する。文字板１１に対して平行な方向（指針軸２５の軸方向に対して垂直な方向、厚さ方向に対して垂直な方向）から、電子時計１０を構成する部材の断面を見ることを、断面視と称する。文字板１１に対して裏蓋３４側を、厚さ方向の下方とし、裏蓋３４に対して文字板１１側を、厚さ方向の上方とする。図４に、厚さ方向をｚ方向（上方が正側）としたｘｙｚ直交座標系を示す。
【００３６】
文字板１１に対して外光が射出する方向に（文字板１１に対して下方に）、太陽電池（光電池）１３５が備えられている。太陽電池１３５は、文字板１１と地板１２５との間に配置されている。太陽電池１３５は、文字板１１から射出した光が入射し当該光の光エネルギーを電気エネルギー（電力）に変換する光発電を行うソーラーセル（光発電素子）を有する。また、太陽電池１３５は、太陽光の検出機能も有している。
【００３７】
文字板１１に対して外光が射出する方向に（文字板１１に対して下方に）、電波を受信するアンテナ体１１０が備えられている。アンテナ体１１０は、太陽電池１３５に対して下方に配置されている。アンテナ体１１０としては、例えばパッチアンテナ（マイクロストリップアンテナとも呼ばれる）が用いられる。
【００３８】
詳細は後述するように、太陽電池１３５のソーラーセルが、平面視でアンテナ体１１０と重なりを有すると、アンテナ体１１０が受信すべき電波がシールドされる。このようなシールドを抑制するために、太陽電池１３５は、切欠き部１３５ｇを有する。アンテナ体１１０は、切欠き部１３５ｇに対し下方に配置されて、平面視において太陽電池１３５と（少なくともソーラーセルと）と重ならない部分を有して配置されている。
【００３９】
文字板１１が光透過性であるため、太陽電池１３５の切欠き部１３５ｇは、文字板１１を介して視認されやすい。そこで、電子時計１０は、切欠き部１３５ｇを充填することで切欠き部１３５ｇを目立ちにくくするカバー部材２００を備える。カバー部材２００は、切欠き部１３５ｇを充填する部分である主カバー部２１０（第１の部分）を有する。
【００４０】
主カバー部２１０は、文字板１１とアンテナ体１１０との間に配置されており、平面視において、アンテナ体１１０と重なりを有し、断面視において、主カバー部２１０が厚さ方向に配置されている範囲と、太陽電池１３５が厚さ方向に配置されている範囲とが重なりを有するように、配置されている。主カバー部２１０は、切欠き部１３５ｇが目立ちにくくなるように、適宜着色されていてよい。主カバー部２１０は、上述のようなシールドを抑制するために、樹脂等の、金属元素を含有しない材料で形成されていることが好ましい。アンテナ体１１０は、主カバー部２１０に対して下方に配置されている。
【００４１】
文字板１１に対して外光が射出する方向に（文字板１１に対して下方に）、文字板１１を保持する文字板受けリング１２６（第１の保持部材）が備えられている。文字板受けリング１２６は、樹脂で形成されている。文字板受けリング１２６は、外装ケース３０の（ケース３１の）内周面３０ａに沿って配置され、平面視において外装ケース３０の内側に張り出した張り出し部１２６ｇ（第１の張り出し部）を有する。
【００４２】
張り出し部１２６ｇは、太陽電池１３５の切欠き部１３５ｇを充填するように張り出し、平面視においてアンテナ体１１０と重なりを有するように設けられ、カバー部材２００の主カバー部２１０として機能する。張り出し部１２６ｇは樹脂で形成されているため、張り出し部１２６ｇがアンテナ体１１０と重なりを有しても、上述のようなシールドは問題とならない。文字板受けリング１２６は、主カバー部２１０として機能する張り出し部１２６ｇを有することで、カバー部材２００としても用いられる。
【００４３】
地板１２５上に、日車１３０と、日車１３０を保持する日車押さえ１３１（第２の保持部材）とが備えられている。日車１３０および日車押さえ１３１は、樹脂で形成されている。日車１３０および日車押さえ１３１は、太陽電池１３５、および、文字板受けリング１２６の張り出し部１２６ｇと、地板１２５との間に配置されている。
【００４４】
文字板１１、太陽電池１３５、日車押さえ１３１および地板１２５には、指針軸２５と、第１小窓７０の指針７１、第２小窓８０の指針８１および第３小窓９０の指針９１の指針軸（図示せず）とが貫通する孔が形成されている。文字板１１および太陽電池１３５には、カレンダー小窓１５の開口部が形成されている。
【００４５】
地板１２５は、樹脂で形成されており、駆動機構１４０の取り付け部を有している。アンテナ体１１０は、厚い方が（体積が大きい方が）受信性能が向上する。このため、本例では、地板１２５に切欠き部１２５ｇを設け、アンテナ体１１０が厚さ方向に配置されている範囲を、地板１２５が厚さ方向に配置されている範囲と重ならせることで（すなわち、アンテナ体１１０を地板１２５と同じ高さまで配置することで）、アンテナ体１１０の厚みを確保している。
【００４６】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小窓７０の指針７１、第２小窓８０の指針８１および第３小窓９０の指針９１も同様の駆動機構（図示せず）を有し、各指針７１，８１，９１が駆動する。
【００４７】
回路基板１２０は、受信部（ＧＰＳモジュール）１２２、制御部１５０およびアンテナ体１１０を備えている。回路基板１２０は、太陽電池１３５が発電した電力で充電されるリチウムイオン電池などの二次電池（図示せず）に接続されている。回路基板１２０の下方には、回路押え１２３が設けられている。
＜Ｂ：電子時計の表示機能＞
【００４８】
次に、電子時計１０の表示機能について説明する。図５は、電子時計の外観を示す概略平面図である。
図５に示すように、文字板１１の最外周には、外周を６分割から６０分割する目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ｃボタン６３と、Ｄボタン６４との操作で、使用することができる。
【００４９】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００５０】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、衛星信号の受信結果（Ｙ：受信成功、Ｎ：受信失敗）と、衛星信号の自動受信（Ｙ：自動受信ＯＮ、Ｎ：自動受信ＯＦＦ）の設定とを表す。使用者がＢボタン６２を操作することにより、指針８１が「Ｙ」または「Ｎ」のいずれか一方を指示し、衛星信号の受信結果を表示する。また、使用者がＡボタン６１とＢボタン６２とを操作して、指針８１を「Ｙ」または「Ｎ」に合わせることで、衛星信号の自動受信のＯＮ／ＯＦＦを設定することができる。また、使用者がＢボタン６２を操作して、電子時計１０に衛星信号を手動受信させた時、指針７１は、衛星の捕捉数量を表示する。
なお、本実施形態では、５２秒の位置に「Ｙ」の表記が、３８秒の位置に「Ｎ」の表記が、設けられているが、これに限定されるものではない。「Ｙ」と「Ｎ」との表記は、受信結果表示を含む小窓が設けられる位置に応じて、視認しやすい位置に設けることが好ましい。
【００５１】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００５２】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。使用者がリュウズ５０とＢボタン６２を操作して、指針９１を「ＤＳＴ」または「○」に合わせることで、電子時計１０に夏時間のＯＮ／ＯＦＦを設定することができる。
【００５３】
第３小窓９０の７時方向から９時方向までの範囲の外周には、円周に沿って、９時方向の基端が太く、７時方向の先端が細い三日月鎌状の記号９２が表記されている。この記号９２はパワーインジケーターであり、電池の残量に応じて、指針９１が基端、先端、中間のいずれかを指し示す。
【００５４】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。使用者はＡボタン６１を操作し、指針９１で記号９３（機内モード）を選択することで、電子時計１０の衛星信号の受信を停止させることができる。
【００５５】
第３小窓９０の１０時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されたことを、「４＋」はＧＰＳ時刻情報と軌道情報とを受信し、内部時刻と後述するタイムゾーンとが修正されたことを意味する。使用者がＢボタン６２を操作することで、指針９１が「１」または「４＋」のいずれかを指示し、電子時計１０が直前に受信した衛星信号の受信モードを表示する。
【００５６】
カレンダー小窓１５は、文字板１１を矩形状に開口した開口部に設けられており、開口部から数字が視認可能となっている。この数字は、年月日の「日」を表す。
【００５７】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００５８】
上述したように、文字板１１には、６０分割された分および秒を表示する目盛が刻まれ、文字板１１の外周部を囲むダイヤルリング４０には、この目盛に沿って、ＵＴＣとの時差を表す時差情報４５が数字と、数字以外の記号と、で表記されている。数字の時差情報４５は整数の時差であり、記号の時差情報４５は整数以外の時差であることを表している指針２２，２３，８１で表示されて内部時刻と、ＵＴＣとの時差は、リュウズ５０の操作により指針２１の指し示す時差情報４５で確認することができる。
電子時計１０は、文字板１１に設けられている６０分割された目盛の一目盛に一時差を割り当てることで最大６０個までの異なる時差に対応した内部時刻を表すことができる。なお、本実施形態では、「ＵＴＣ」記号の時差情報４５は時差の基準である世界協定時を表し、「・」記号の時差情報４５は整数以外の時差を表しているが、他の記号を用いて表記をしてもよい。
【００５９】
本実施形態では、ダイヤルリング４０の「８」と「９」との数字の間に表記されている「・」記号の時差情報４５は、＋８．７５時間（＋８時間４５分）の時差を表し、ＵＴＣ＋８．７５時間を標準時として使用するタイムゾーンを意味する。タイムゾーンは、約４０種類が存在する。本実施形態による電子時計１０のダイヤルリング４０には、４０種類のタイムゾーンを表す時差が時差情報４５として表記されている。また、タイムゾーンの表示は６０種類以内とすることが好適である。６０種類を超えると表示が小さくなり、判別することが困難になる可能性がある。
【００６０】
ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。本実施形態では、都市名を三文字のアルファベットで略したスリーレターコードを使用して都市情報３５が表記されている。「ＬＯＮ」はロンドン、「ＰＡＲ」はパリ、「ＣＡＩ」はカイロ、「ＪＥＤ」はジッダ、「ＤＸＢ」はドバイ、「ＫＨＩ」はカラチ、「ＤＥＬ」はデリー、「ＤＡＣ」はダッカ、「ＢＫＫ」はバンコク、「ＢＪＳ」北京、「ＴＹＯ」は東京、「ＡＤＬ」はアデレード、「ＳＹＤ」はシドニー、「ＮＯＵ」はネーメア、「ＷＬＧ」はウェリントン、「ＴＢＵ」はヌクアロファ、「ＣＸＩ」はキリスィマスィ島、「ＭＤＹ」はミッドウェー島、「ＨＮＬ」はホノルル、「ＡＮＣ」はアンカレッジ、「ＬＡＸ」はロサンゼルス、「ＤＥＮ」はデンバー、「ＣＨＩ」はシカゴ、「ＮＹＣ」はニューヨーク、「ＣＣＳ」はカラカス、「ＳＣＬ」はサンティアゴ、「ＲＩＯ」はリオデジャネイロ、「ＦＥＮ」はフェルナンド・デ・ノローニャ諸島、「ＰＤＬ」はアゾレス諸島をそれぞれ表している。例えば、「ＴＹＯ」のコードは東京を表し、このコードに対応してダイヤルリング４０に併記されている時差情報４５の数字「９」より、東京はＵＴＣ＋９時間の標準時を使用していることを容易に判断することができる。また、「ＣＸＩ」のコードはキリスィマスィ島を表し、このコードに対応してダイヤルリング４０に併記されている時差情報４５の数字「１４」より、キリスィマスィ島はＵＴＣ＋１４時間の標準時を使用していることを容易に判断することができる。なお、本実施形態では、表示スペースの制約と視認性の向上とのため、一部の時差情報４５の時差に対応する代表都市名の表記は省略されている。また、代表都市名の表記方法は一例であり、他の方法で表記してもよい。時差情報４５と都市情報３５との表記をタイムゾーン表示４６という。本実施形態では、全世界で使用されているタイムゾーンの数と等しいタイムゾーン表示４６が表記されている。なお、上述の都市名の表記は一例であり、都市名は、タイムゾーンの変更に応じて適宜変更されることがある。
【００６１】
＜Ｃ：電子時計の電気的構成＞
次に、電子時計１０の電気的構成について説明する。
図６は、電子時計の電気制御ブロック図である。図６に示すように、電子時計１０は、ＣＰＵ（中央処理装置）１５３、ＲＡＭ（Random Access Memory）１５４、ＲＯＭ（Read Only Memory）１５５を基本構成とする制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図５に示すリュウズ５０、Ａボタン６１、Ｂボタン６２、Ｃボタン６３、Ｄボタン６４である。なお、電子時計１０は、電源となる充電可能な二次電池（図示せず）を内蔵している。
【００６２】
受信部１２２は、アンテナ体１１０を備え、アンテナ体１１０を介して受信した衛星信号を処理してＧＰＳ時刻情報や位置情報を取得する。アンテナ体１１０は、地球の上空を所定の軌道で周回している複数のＧＰＳ衛星８（図１参照）から送信され、図４に示すカバーガラス３３を通過した衛星信号の電波を受信する。
【００６３】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンプ部）と、ＢＢ部で復調された航法メッセージ（衛星信号）からＧＰＳ時刻情報や位置情報（測位情報）を取得して出力する情報取得部とを備えている。つまり、受信部１２２は、ＧＰＳ衛星８から送信される衛星信号を受信し、受信結果に基づいてＧＰＳ時刻情報と位置情報とを出力する受信部として機能する。
【００６４】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００６５】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００６６】
情報取得部は、ＢＢ部で復調した航法メッセージからＧＰＳ時刻情報や位置情報を取得する。航法メッセージには、プリアンブルデータおよびＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や航法情報を取得することができる。
【００６７】
ＲＡＭ１５４とＲＯＭ１５５とは、電子時計１０の記憶部である。
ＲＯＭ１５５には、ＣＰＵ１５３に実行されるプログラムやタイムゾーン情報等が記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御および計時を行う。この計時は、例えば、図示しない発振回路からの基準信号のパルス数を計数することによって行われる。
【００６８】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、駆動機構１４０を駆動する制御を行う。これにより、電子時計１０には、指針２２，２３，８１（図５参照）により内部時刻が表示される。
【００６９】
＜Ｄ：カバー部材の構成＞
次に、電子時計１０の備えるカバー部材２００について、より詳しく説明する。
【００７０】
まず、太陽電池１３５およびアンテナ体１１０の平面視における配置について説明する。図７は、太陽電池１３５の外観を示す平面図である。図７には、アンテナ体１１０の輪郭も示す。以下、矩形の平面形状を有するアンテナ体１１０が、１２時位置に配置されている場合を例示する。
【００７１】
太陽電池１３５は、ソーラーフィルム１３５ｂを有する。太陽電池１３５は、ソーラーフィルム１３５ｂに加えて、太陽電池１３５を他の部材（例えば地板１２５、また例えば文字板受けリング１２６等）に取り付ける際の位置決め部が設けられた案内板を有してもよい。
【００７２】
ソーラーフィルム１３５ｂは、基板１３５ｅと、ソーラーセル１３５ｃとを有する。基板１３５ｅは、例えば樹脂のフィルムにより形成されており、ソーラーセル１３５ｃは、基板１３５ｅ上に形成されている。ソーラーセル１３５ｃは、半導体部と電極部とを有する。半導体部は、光エネルギーを電気エネルギーに変換する光発電を行う。電極部は、半導体部を挟んで配置された電極を有する。光が入射する側の電極として、光透過性の電極を用いることができる。
【００７３】
太陽電池１３５は、概略的に円形の外形を有する。複数個（本例では８個）のソーラーセル１３５ｃが、当該円形の周方向に並んで配置され、直列接続されている。アンテナ体１１０が、平面視において太陽電池１３５と（少なくともソーラーセル１３５ｃと）重ならない部分を有して配置されるように、太陽電池１３５は、１２時位置に矩形状の切欠き部１３５ｇを有する。切欠き部１３５ｇにおいて、基板１３５ｅおよびソーラーセル１３５ｃが切り欠かれている。
【００７４】
ソーラーセル１３５ｃの電極部が、平面視でアンテナ体１１０と重なりを有すると、アンテナ体１１０が受信すべき衛星信号の電波がシールドされる。アンテナ体１１０が平面視でソーラーセル１３５ｃと重ならない部分を有することで、このようなシールドを抑制することができる。
【００７５】
なお、アンテナ体１１０が平面視でソーラーセル１３５ｃと重ならない部分を設けるために、太陽電池１３５の外周部が切り欠かれた切欠き部１３５ｇを設ける場合を例示しているが、その他例えば、太陽電池１３５の内部に開口部（貫通部）を設けることによって、アンテナ体１１０が平面視でソーラーセル１３５ｃと重ならない部分を設けてもよい。
【００７６】
なお、平面視においてアンテナ体１１０の全部がソーラーセル１３５ｃと重なりを有さないことが最も好ましいが、アンテナ体１１０の一部がソーラーセル１３５ｃと重なりを有する場合であっても、アンテナ体１１０の全部がソーラーセル１３５ｃと重なりを有する場合と比べて、上述のシールドを抑制することができる。
【００７７】
基板１３５ｅの外周部には、案内用タブ１３５ｂ−１および案内用タブ１３５ｂ−２と、導通部１３５ｄとが設けられている。案内用タブ１３５ｂ−１および案内用タブ１３５ｂ−２は、太陽電池１３５を地板１２５に対して位置決めする際の、位置決め部として用いられる。導通部１３５ｄは、太陽電池１３５を回路基板１２０と電気的に接続する導通バネの配置部として用いられる。
【００７８】
次に、文字板受けリング１２６およびアンテナ体１１０の平面視における配置について説明する。図８は、文字板受けリング１２６の外観を示す平面図である。図８には、アンテナ体１１０の輪郭も示す。
【００７９】
文字板受けリング１２６は、外装ケース３０の内周面３０ａに沿って配置されてリング形状を有するリング部１２６ｈと、リング部１２６ｈから外装ケース３０の内側に張り出した張り出し部１２６ｇとを有する。
【００８０】
張り出し部１２６ｇは、平面視でアンテナ体１１０と重なる部分を有するように、１２時位置に矩形形状を有して配置されている。張り出し部１２６ｇは、上述のように、カバー部材２００の主カバー部２１０として機能する。張り出し部１２６ｇの詳細については、後述する。
【００８１】
リング部１２６ｈには、太陽電池フック部１２６ａと、地板受け部１２６ｆと、突状部１２６ｍとが設けられている。太陽電池フック部１２６ａは、文字板受けリング１２６に対して太陽電池１３５を固定するために用いられる。上述の案内板に設けられた係合部（図示せず）が、フック部１２６ａに係止される。地板受け部１２６ｆは、後述の、地板１２５が有する庇１２５ｆに対応する位置に設けられ、庇１２５ｆが嵌め合わされる。突状部１２６ｍは、文字板受けリング１２６の底面から裏蓋３４側に突出しており、文字板受けリング１２６を外装ケース３０に収納した際に、裏蓋３４に当たることにより、文字板受けリング１２６の厚さ方向への移動を規制する。
【００８２】
次に、地板１２５およびアンテナ体１１０の平面視における配置について説明する。図９は、地板１２５の外観を示す平面図である。図９には、アンテナ体１１０の輪郭も示す。
【００８３】
上述のように、アンテナ体１１０を地板１２５と同じ高さまで配置して、アンテナ体１１０の厚みを確保できるように、地板１２５は、１２時位置に矩形状の切欠き部１２５ｇを有する。
【００８４】
なお、アンテナ体１１０を地板１２５と同じ高さまで配置しなくても、十分な受信性能を有するアンテナ体１１０の厚みが得られる場合は、地板１２５に切欠き部１２５ｇを設けなくてもよい。地板１２５は、必要に応じて金属で形成されていてもよい。地板１２５が金属で形成されている場合、切欠き部１２５ｇが設けられていることで、上述のようなシールドを抑制することもできる。なお、本例の切欠き部１２５ｇは、アンテナ体１１０の全体が平面視で地板１２５と重ならないように設けられているが、切欠き部１２５は、必要に応じて、アンテナ体１１０の一部が平面視で地板１２５と重なるように設けられていてもよい。
【００８５】
地板１２５には、案内用凸部１２５ａと、文字板高さ決め用凸部１２５ｂと、固定用ピン１２５ｃと、固定用ピン１２５ｃが設けられたフランジ部１２５ｄとが設けられている。太陽電池１３５の案内用タブ１３５ｂ−１と案内用タブ１３５ｂ−２とが、案内用凸部１２５ａを挟むように配置されることで、地板１２５に対して太陽電池１３５が位置決めされるとともに、周方向への移動が規制される。文字板高さ決め用凸部１２５ｂおよびフランジ部１２５ｄは、文字板１１が乗る文字板乗り面を構成する。固定用ピン１２５ｃは、ダイヤルリング４０の孔部と嵌め合わされ、ダイヤルリング４０を固定する。
【００８６】
地板１２５には、また、貫通孔１２５ｅと、庇１２５ｆと、庇１２５ｆの先端部に設けられた突起１２５ｋとが設けられている。貫通孔１２５ｅには、太陽電池１３５と回路基板１２０とを導通させるための導通バネが配置される。庇１２５ｆが、文字板受けリング１２６の地板受け部１２６ｆに嵌め合わされることで、地板１２５と地板受けリング１２６とが係合する。突起１２５ｋは、地板１２５を外装ケース３０に収納した際に、ケース３１の内周面に当たることにより、地板１２５の平面方向への移動を規制する。
【００８７】
次に、太陽電池１３５、文字板受けリング１２６、日車１３０、日車押さえ１３１およびアンテナ体１１０の平面視における配置、および、断面視における配置について説明し、カバー部材２００、および、主カバー部２１０として機能する張り出し部１２６ｇについて、さらに説明する。
【００８８】
平面視において指針軸２５を通る方向として、径方向を定義する。径方向に関し、指針軸２５側を内周側と称し、内周側と反対側を外周側と称する。
【００８９】
図１０は、太陽電池１３５および文字板受けリング１２６が重なった状態の外観を示す平面図である。図１０には、日車１３０、日車押さえ１３１およびアンテナ体１１０の輪郭も示す。
【００９０】
図１１は、図１０のＡＡ方向に沿った断面図（第１実施形態による電子時計１０の、アンテナ体１１０を通り径方向に沿った部分的な断面図）である。図１２は、図１０のＢＢ方向に沿った断面図（第１実施形態による電子時計１０の、アンテナ体１１０を通り径方向と直交する方向に沿った部分的な断面図）である。
【００９１】
上述のように、電子時計１０はカバー部材２００を備え、カバー部材２００は、主カバー部２１０を有する部材である。主カバー部２１０は、平面視において、アンテナ体１１０と重なりを有し、断面視において、主カバー部２１０が厚さ方向に配置されている範囲と、太陽電池１３５が厚さ方向に配置されている範囲とが重なりを有するように配置された部分である。すなわち、主カバー部２１０と太陽電池１３５とは、同じ高さに配置された部分を有する。アンテナ体１１０は、平面視において太陽電池１３５と（少なくともソーラーセル１３５ｃと）と重ならない部分を有して配置される。
【００９２】
カバー部材２００を用いることで、以下のよう効果を得ることができる。主カバー部２１０が、平面視において、アンテナ体１１０上で太陽電池１３５の配置されない部分と重なって配置されることで、当該部分を目立ちにくくすることができる。また、断面視において、第１の部分が厚さ方向に配置されている範囲と、太陽電池１３５が厚さ方向に配置されている範囲とが重なりを有することで、当該部分を目立ちにくくする部材を太陽電池１３５と厚さ方向に重ねて配置しなくてもよくなり、電子時計１０の厚みの増加を抑制できる。また、主カバー部２１０の厚さ方向の位置と、太陽電池１３５の厚さ方向の位置との差を抑制して段差を生じにくくできるため、当該部分を、より効果的に目立ちにくくすることができる。
【００９３】
文字板受けリング１２６は、平面視において外装ケース３０の内側に張り出した張り出し部１２６ｇを有する。張り出し部１２６ｇは、平面視において、アンテナ体１１０と重なりを有し、断面視において、張り出し部１２６ｇが厚さ方向に配置されている範囲と、太陽電池１３５が厚さ方向に配置されている範囲とが重なりを有するように、設けられている。張り出し部１２６ｇは、このように設けられていることで、主カバー部２１０として機能する。文字板１１を保持する部材として用いられる文字板受けリング１２６は、張り出し部１２６ｇを有することで（張り出し部１２６ｇが主カバー部２１０の少なくとも一部を含むことで）、アンテナ体１１０上で太陽電池１３５の配置されない部分を目立ちにくくするカバー部材２００としても用いることができる。文字板受けリング１２６がカバー部材２００としても用いられるため、カバー部材２００を設けることに伴う部品点数の増加を抑制できる。以上説明したように、カバー部材２００は、文字板受けリング１２６を含んで構成することができる。なお、後述の第３実施形態が、カバー部材２００が文字板受けリング１２６および日車押さえ１３１を含む態様であるのに対し、第１実施形態は、カバー部材２００が文字板受けリング１２６を含むが日車押さえ１３１は含まない態様である。
【００９４】
図１０および図１１から理解されるように、日車１３０および日車押さえ１３１は、平面視においてアンテナ体１１０と重なりを有して配置されている。日車１３０に対して、日車押さえ１３１は、内周側に配置されている。日車１３０の厚さに対して日車押さえ１３１の厚さは厚く、日車押さえ１３１の外周側の端部は、日車１３０の内周側の端部に対して庇状に乗り上げ、日車１３０の上下方向の遊びの範囲を規定している。日車押さえ１３１は、このようにして、日車１３０を保持する。
【００９５】
文字板受けリング１２６の張り出し部１２６ｇは、アンテナ体１１０と文字板１１との間に配置されている。張り出し部１２６ｇは（主カバー部２１０は）、厚さが互いに異なる部分である、アンテナ体上部１２６ｇ−１と、日車上部１２６ｇ−２と、日車押さえ上部１２６ｇ−３とを有する。
【００９６】
アンテナ体上部１２６ｇ−１、日車上部１２６ｇ−２、および、日車押さえ上部１２６ｇ−３のうち、アンテナ体上部１２６ｇ−１は、最も外周側に配置された部分である。アンテナ体上部１２６ｇ−１は、アンテナ体１１０と文字板１１との間の、日車１３０および日車押さえ１３１が介在しない部分に、アンテナ体１１０と文字板１１との間を充填するように配置され、アンテナ体上部１２６ｇ−１、日車上部１２６ｇ−２、および、日車押さえ上部１２６ｇ−３のうち、最も厚い部分である。
【００９７】
アンテナ体上部１２６ｇ−１、日車上部１２６ｇ−２、および、日車押さえ上部１２６ｇ−３のうち、日車上部１２６ｇ−２は、２番目に外周側に配置された部分である。日車上部１２６ｇ−２は、アンテナ体１１０と文字板１１との間の、日車１３０は介在するが日車押さえ１３１は介在しない部分に、日車１３０と文字板１１との間を充填するように配置され、アンテナ体上部１２６ｇ−１、日車上部１２６ｇ−２、および、日車押さえ上部１２６ｇ−３のうち、２番目に厚い部分である。
【００９８】
アンテナ体上部１２６ｇ−１、日車上部１２６ｇ−２、および、日車押さえ上部１２６ｇ−３のうち、日車押さえ上部１２６ｇ−３は、最も内周側に配置された部分である。日車押さえ上部１２６ｇ−３は、アンテナ体１１０と文字板１１との間の、日車１３０および日車押さえ１３１、または、日車押さえ１３１が介在する部分に、日車押さえ１３１と文字板１１との間を充填するように配置され、アンテナ体上部１２６ｇ−１、日車上部１２６ｇ−２、および、日車押さえ上部１２６ｇ−３のうち、最も薄い部分である。
【００９９】
このように、張り出し部１２６ｇは（主カバー部２１０は）、厚さが互いに異なる複数の部分を有するように設けられてもよい。張り出し部１２６ｇを（主カバー部２１０を）、アンテナ体１１０と文字板１１との間の空間に配置された他の部材（本例では、日車１３０および日車押さえ１３１）に応じて、厚さが互いに異なる部分を有するように設けることで、当該空間の充填性を向上させることが容易になる。
【０１００】
図１０および図１２から理解されるように、張り出し部１２６ｇは（カバー部材２００は）、平面視において太陽電池１３５と重なる部分である庇部１２６ｇ−４を有する。庇部１２６ｇ−４は、張り出し部１２６ｇの張り出し方向に延在する一対の縁部に設けられ、張り出し部１２６ｇのうち下方部分に設けられており、太陽電池１３５の切欠き部１３５ｇを画定する縁部の下方に入り込んで配置されている。平面視において、庇部１２６ｇ−４が、太陽電池１３５と重なることで、張り出し部１２６ｇと（カバー部材２００と）太陽電池１３５との間に、視認されやすい隙間が形成されることを抑制できる。カバー部材２００のうち、平面視において太陽電池１３５と重なる部分を、以下、オーバーラップ部２２０（第２の部分）と称する。
【０１０１】
なお、本例では、張り出し部１２６ｇの張り出し方向と直交する方向に延在する縁部には、オーバーラップ部２２０を設けていないが、当該縁部の下方には、日車押さえ１３１が配置されている。このため、当該縁部にはオーバーラップ部２２０を設けなくとも、張り出し部１２６ｇと太陽電池１３５との間の隙間が視認されにくい。なお、必要に応じて、当該縁部にオーバーラップ部２２０を設けてもよい。この場合は、日車押さえ１３１に、当該オーバーラップ部２２０を収容できる溝（逃げ形状）を形成するとよい。
【０１０２】
以上説明した第１実施形態では、カバー部材２００として、文字板受けリング１２６を用いる例について説明した。カバー部材２００は、この態様に限定されず、以下に説明するような様々な態様で構成してもよい。
【０１０３】
＜第２実施形態＞
次に、図１３を参照して、第２実施形態について説明する。第２実施形態では、カバー部材２００として、日車押さえ１３１を用いる例について説明する。
【０１０４】
図１３は、第２実施形態による電子時計１０の、アンテナ体１１０を通り径方向に沿った部分的な断面図（第１実施形態の図１１に対応する断面図）である。
【０１０５】
第２実施形態において、文字板受けリング１２６は、張り出し部１２６ｇを有さない。日車押さえ１３１は、平面視において外装ケース３０側に張り出した張り出し部１３１ａ（第２の張り出し部）を有する。張り出し部１３１ａは、日車１３０に対して外周側まで（外装ケース３０に近い側まで）張り出している。
【０１０６】
日車押さえ１３１の張り出し部１３１ａは、平面視において、アンテナ体１１０と重なりを有し、断面視において、張り出し部１３１ａが厚さ方向に配置されている範囲と、太陽電池１３５が厚さ方向に配置されている範囲とが重なりを有するように、設けられている。張り出し部１３１ａは、このように設けられていることで、主カバー部２１０として機能する。日車１３０を保持する部材として用いられる日車押さえ１３１は、張り出し部１３１ａを有することで（張り出し部１３１ａが主カバー部２１０の少なくとも一部を含むことで）、アンテナ体１１０上で太陽電池１３５の配置されない部分を目立ちにくくするカバー部材２００としても用いることができる。
【０１０７】
日車押さえ１３１は、以下のような特徴を有するということもできる。日車押さえ１３１は、平面視において太陽電池１３５と重なって配置された（太陽電池１３５の下方に配置された）部分である太陽電池下部１３１ｂ（第３の部分）と、平面視において太陽電池１３５と重ならずに配置され（太陽電池下部１３１ｂに対して外周側に配置され）、アンテナ体１１０と重なる部分であるアンテナ体上部１３１ｃ（第４の部分）とを有する。アンテナ体上部１３１ｃは、太陽電池下部１３１ｂに対し、厚さ方向について太陽電池１３５の方向へ（上方へ）突き出している。
【０１０８】
アンテナ体上部１３１ｃは、平面視において、アンテナ体１１０と重なりを有し、断面視において、アンテナ体上部１３１ｃが厚さ方向に配置されている範囲と、太陽電池１３５が厚さ方向に配置されている範囲とが重なりを有するように、設けられている。アンテナ体上部１３１ｃは、このように設けられていることで、主カバー部２１０として機能する。日車１３０を保持する部材として用いられる日車押さえ１３１は、アンテナ体上部１３１ｃを有することで（アンテナ体上部１３１ｃが主カバー部２１０の少なくとも一部を含むことで）、アンテナ体１１０上で太陽電池１３５の配置されない部分を目立ちにくくするカバー部材２００としても用いることができる。
【０１０９】
第２実施形態では、日車１３０を保持する日車押さえ１３１がカバー部材２００としても用いられるため、カバー部材２００を設けることに伴う部品点数の増加を抑制できる。以上説明したように、カバー部材２００は、日車押さえ１３１を含んで構成することができる。なお、後述の第３実施形態が、カバー部材２００が文字板受けリング１２６および日車押さえ１３１を含む態様であるのに対し、第２実施形態は、カバー部材２００が日車押さえ１３１を含むが文字板受けリング１２６は含まない態様である。
【０１１０】
＜第３実施形態＞
次に、図１４を参照して、第３実施形態について説明する。第３実施形態では、カバー部材２００として、文字板受けリング１２６および日車押さえ１３１を用いる例（カバー部材２００が、文字板受けリング１２６および日車押さえ１３１を含む態様）について説明する。
【０１１１】
図１４は、第３実施形態による電子時計１０の、アンテナ体１１０を通り径方向に沿った部分的な断面図（第１実施形態の図１１に対応する断面図）である。
【０１１２】
本例では、第１実施形態における文字板受けリング１２６の張り出し部１２６ｇのうち、日車押さえ上部１２６ｇ−３の内周側の端部を短くしている。そして、これにより生じる空隙部分を、日車押さえ１３１により充填している。
【０１１３】
より具体的に説明すると、日車押さえ１３１の太陽電池１３５に対して外周側に配置された部分であるアンテナ体上部１３１ｃを、当該空隙部分で上方に突き出すように厚く設けている。このようにして、当該空隙部分では、日車押さえ１３１のアンテナ体上部１３１ｃにより、主カバー部２１０が構成されている。そして、当該空隙部分に対して外周側では、第１実施形態と同様に、文字板受けリング１２６の張り出し部１２６ｇにより、主カバー部２１０が構成されている。
【０１１４】
このように、主カバー部２１０は、一部が文字板受けリング１２６に含まれ、他の一部が日車押さえ１３１に含まれるように、構成されてもよい。主カバー部２１０を、複数の部材により構成することで、個々の部材の主カバー部２１０として機能する部分の構造の自由度を高めることができる。例えば、本例では、第１実施形態と比べて、文字板受けリング１２６の張り出し部１２６ｇを短くすることができ、これに伴い、張り出し部１２６ｇの反りを生じにくくすることができる。
【０１１５】
なお、張り出し部１２６ｇの内周側の端部は、日車押さえ１３１の外周側の端部に乗り上げるように配置されている。これにより、文字板受けリング１２６と日車押さえ１３１との間に平面視で隙間が形成されることが抑制される。
【０１１６】
＜第４実施形態＞
次に、図１５および図１６を参照して、第４実施形態について説明する。第４実施形態では、カバー部材２００として、文字板受けリング１２６および日車押さえ１３１とは別体の部材を用いる例について説明する。
【０１１７】
図１５は、第４実施形態による電子時計１０の、アンテナ体１１０を通り径方向に沿った部分的な断面図（第１実施形態の図１１に対応する断面図）である。図１６は、第４実施形態による電子時計１０の、アンテナ体１１０を通り径方向と直交する方向に沿った部分的な断面図（第１実施形態の図１２に対応する断面図）である。
【０１１８】
第４実施形態では、文字板受けリング１２６および日車押さえ１３１が、主カバー部２１０（平面視において、アンテナ体１１０と重なりを有し、断面視において、主カバー部２１０が厚さ方向に配置されている範囲と、太陽電池１３５が厚さ方向に配置されている範囲とが重なりを有するように、配置されている部分）を含まない。主カバー部２１０を有するカバー部材２００は、文字板受けリング１２６および日車押さえ１３１とは別体の部材として設けられている。
【０１１９】
カバー部材２００を、文字板受けリング１２６および日車押さえ１３１とは別体の部材により構成することで、文字板受けリング１２６および日車押さえ１３１の構造を変更することなく、カバー部材２００を設けることができる。
【０１２０】
図１５から理解されるように、第４実施形態によるカバー部材２００は、日車押さえ１３１に対して外周側に配置された外周側部分２０１と、外周側部分２０１に対して内周側に配置された内周側部分２０２とを有する。内周側部分２０２は日車押さえ１３１に乗り上げて配置されており、内周側部分２０２の厚さは、太陽電池１３５の厚さとほぼ同等である。外周側部分２０１は、太陽電池１３５よりも下方側に厚くなっている。図１６から理解されるように、外周側部分２０１の縁部には、太陽電池１３５の縁部の下方に入り込んで配置されて、オーバーラップ部２２０となる庇部２０３が設けられている。カバー部材２００は、上述のような形状に成型された樹脂の板材で一体的に形成されている。
【０１２１】
なお、文字板受けリング１２６の内周面には、内周側に突出した突出部１２６ｉが設けられており、カバー部材２００の外周側部分２０１の外周側の端部が、突出部１２６ｉに乗り上げて配置されている。これにより、文字板受けリング１２６とカバー部材２００との間に平面視で隙間が形成されることが抑制される。
【０１２２】
＜第４実施形態の第１変形例＞
次に、図１７および図１８を参照して、第４実施形態の第１変形例（以下、第１変形例と呼ぶ）について説明する。図１７は、第１変形例による電子時計１０の、アンテナ体１１０を通り径方向に沿った部分的な断面図（第１実施形態の図１１に対応する断面図）である。図１８は、第１変形例による電子時計１０の、アンテナ体１１０を通り径方向と直交する方向に沿った部分的な断面図（第１実施形態の図１２に対応する断面図）である。
【０１２３】
第４実施形態は、カバー部材２００が樹脂の板材で形成された例であるのに対し、第１変形例は、カバー部材２００が樹脂のフィルムで形成された例である。
【０１２４】
図１７から理解されるように、第１変形例によるカバー部材２００は、一様な厚さのフィルムにより形成されている。カバー部材２００は、内周側で日車押さえ１３１に乗り上げて配置されており、カバー部材２００の厚さは、太陽電池１３５の厚さとほぼ同等（太陽電池１３５の厚さ以下）である。図１８から理解されるように、カバー部材２００の縁部２０４を、太陽電池１３５の縁部の下方に入り込むように、厚さ方向に変形させる（たわませる）ことで、オーバーラップ部２２０が形成されている。
【０１２５】
第１変形例では、カバー部材２００の厚さが太陽電池１３５の厚さとほぼ同等であっても、樹脂のフィルムが有する可とう性によりカバー部材２００を容易に変形させて（たわませて）、オーバーラップ部２２０を形成することができる。
【０１２６】
＜第４実施形態の第２変形例＞
次に、図１９および図２０を参照して、第４実施形態の第２変形例（以下、第２変形例と呼ぶ）について説明する。図１９は、第２変形例による電子時計１０の、アンテナ体１１０を通り径方向に沿った部分的な断面図（第１実施形態の図１１に対応する断面図）である。図２０は、第２変形例による電子時計１０の、アンテナ体１１０を通り径方向と直交する方向に沿った部分的な断面図（第１実施形態の図１２に対応する断面図）である。
【０１２７】
第１変形例は、カバー部材２００が１層の樹脂のフィルムで形成された例であるのに対し、第２変形例は、カバー部材２００が２層の樹脂のフィルムで形成された例である。
【０１２８】
図１９から理解されるように、第２変形例によるカバー部材２００は、内周側で日車押さえ１３１に乗り上げて配置された第１のフィルム２０５（第１の部材）と、日車押さえ１３１に対し外周側に配置され、第１のフィルム２０５の下方に重なった第２のフィルム２０６（第２の部材）とにより形成されている。図２０から理解されるように、第２のフィルム２０６の縁部２０７は、太陽電池１３５の縁部の下方に入り込んで配置されて、オーバーラップ部２２０を形成している。
【０１２９】
第１のフィルム２０５は、平面視において、アンテナ体１１０と重なりを有し、断面視において、第１のフィルム２０５が厚さ方向に配置されている範囲と、太陽電池１３５が厚さ方向に配置されている範囲とが重なりを有するように設けられていることで、カバー部材２００の主カバー部２１０として機能する（主カバー部２１０を含む）。第２のフィルム２０６は、平面視において太陽電池１３５と重なりを有し、カバー部材２００のオーバーラップ部２２０として機能する（オーバーラップ部２２０を含む）。
【０１３０】
第２変形例では、第１のフィルム２０５と第２のフィルム２０６とを重ねてカバー部材２００を形成することで、第１変形例のようにフィルムを変形させる（たわませる）ことなく、オーバーラップ部２２０を形成することができる。また、主カバー部２１０とオーバーラップ部２２０とを有するカバー部材２００を、第１のフィルム２０５と第２のフィルム２０６とを重ねた簡便な構造により、容易に作製することができる。なお、第１のフィルム２０５および第２のフィルム２０６のそれぞれは、例えば、樹脂で形成された板状の部材であってもよい。
【０１３１】
なお、第４実施形態およびその第１、第２変形例において、カバー部材２００を、オーバーラップ部２２０を介して太陽電池１３５に接着し、太陽電池１３５と一体化した部材として構成してもよい。カバー部材２００が太陽電池１３５と一体化されるので、電子時計１０の組み立てが容易になる。
【０１３２】
以上、本発明を実施形態および変形例に沿って説明したが、本発明はこれらに制限されるものではない。例えば、種々の変更、改良、組み合わせ等が可能なことは当業者に自明であろう。
【０１３３】
例えば、カバー部材２００の主カバー部２１０が、平面視において、アンテナ体１１０を完全には覆わず、部分的に覆うようにしてもよい。このような場合であっても、カバー部材２００を設けない場合と比べて、アンテナ体１１０上で太陽電池１３５の配置されない部分を目立ちにくくすることができる。また例えば、主カバー部２１０の少なくとも一部を、地板１２５で構成するようにしてもよい。つまり、部材を保持する保持部材を、主カバー部２１０の少なくとも一部を含むように構成しカバー部材２００としても用いる態様として、文字板受けリング１２６、日車押さえ１３１以外の保持部材を用いてもよく、例えば地板１２５を用いてもよい。
【符号の説明】
【０１３４】
１０…電子時計、１１…文字板、１１ａ…外光が入射する一方の面、１１ｂ…外光が射出する他方の面、２５…指針軸、３０…外装ケース、３０ａ…内周面、３３…カバーガラス、３４…裏蓋、４０…ダイヤルリング、１１０…アンテナ体、１２０…回路基板、１４０…駆動機構、１５０…制御部、１２５…地板、１２５ａ…第１案内用凸部、１２５ｂ…第２案内用凸部、１２５ｃ…固定用ピン、１２５ｄ…フランジ部、１２５ｅ…貫通孔、１２５ｆ…庇、１２５ｇ…切欠き部、１２５ｋ…突起、１２６…文字板受けリング、１２６ａ…太陽電池フック部、１２６ｆ…地板受け部、１２６ｍ…突状部、１２６ｇ…張り出し部、１２６ｇ−１…アンテナ体上部、１２６ｇ−２…日車上部、１２６ｇ−３…日車押さえ上部、１２６ｇ−４…庇部、１２６ｈ…リング部、１２６ｉ…突出部、１３０…日車、１３１…日車押さえ、１３１ａ…張り出し部、１３１ｂ…太陽電池下部、１３１ｃ…アンテナ体上部、１３５…太陽電池、１３５ｂ…ソーラーフィルム、１３５ｂ−１…第１タブ、１３５ｂ−２…第２タブ、１３５ｃ…ソーラーセル、１３５ｄ…導通部、１３５ｅ…基板、１３５ｇ…切欠き部、２００…カバー部材、２０１…外周側部分、２０２…内周側部分、２０３…庇部、２０４…縁部、２０５…第１のフィルム、２０６…第２のフィルム、２０７…縁部、２１０…主カバー部、２２０…オーバーラップ部。
【図１】
2018155715.tif 000003
【図２】
2018155715.tif 000004
【図３】
2018155715.tif 000005
【図４】
2018155715.tif 000006
【図５】
2018155715.tif 000007
【図６】
2018155715.tif 000008
【図７】
2018155715.tif 000009
【図８】
2018155715.tif 000010
【図９】
2018155715.tif 000011
【図１０】
2018155715.tif 000012
【図１１】
2018155715.tif 000013
【図１２】
2018155715.tif 000014
【図１３】
2018155715.tif 000015
【図１４】
2018155715.tif 000016
【図１５】
2018155715.tif 000017
【図１６】
2018155715.tif 000018
【図１７】
2018155715.tif 000019
【図１８】
2018155715.tif 000020
【図１９】
2018155715.tif 000021
【図２０】
2018155715.tif 000022